(57)【特許請求の範囲】
【請求項１】
複数の画像コマが記録された長尺状の写真感光材料を長手方向に沿って搬送すると共に、搬送方向と交差する方向に沿って形成された画像読取位置を通過する画像コマを読み取る画像読取方法において、
搬送中に搬送手段と干渉して搬送手段による写真感光材料の搬送速度を変化させる写真感光材料の部分を検出し、
前記検出された前記写真感光材料の部分が前記搬送手段と干渉するときに読み取られる画像コマを予測し、
前記予測された画像コマを写真感光材料が搬送手段に干渉されない状態にして読み取ることを特徴とする画像読取方法。
【請求項２】
前記搬送手段に代えて前記搬送手段から少なくとも１画像コマの長さ分離間した位置に設けられた補助搬送手段を使用して前記予測された画像コマを写真感光材料が搬送手段に干渉されない状態にして読み取る請求項１に記載の画像読取方法。
【請求項３】
複数の画像コマが記録された長尺状の写真感光材料を搬送する複数の搬送手段と、
該搬送手段により搬送された写真感光材料の画像コマを、搬送方向と交差する方向に沿って形成された予め定めた読取位置で読み取る読取手段と、
前記搬送手段による写真感光材料の搬送中に特定の搬送手段と干渉して特定の搬送手段による写真感光材料の搬送速度を変化させる写真感光材料の部分を検知する検知手段と、
該検知手段による検知結果に基いて前記写真感光材料の搬送速度を変化させる部分が特定の搬送手段と干渉するときに読み取られる画像コマを予測する予測手段と、
該予測手段により予測された画像コマを写真感光材料が特定の搬送手段に干渉されない状態で読取手段によって読み取られるように制御する制御手段と、
を備えた画像読取装置。
【請求項４】
前記特定の搬送手段から少なくとも１画像コマの長さ分離間した位置に補助搬送手段をさらに設け、
前記制御手段は、前記読取手段により予測された画像コマが読み取られる際に、前記補助搬送手段により写真感光材料が搬送されるように制御する請求項３に記載の画像読取装置。
【請求項５】
写真感光材料上に照射される光の位置と前記読取手段による読取位置とを同期して移動させる読取位置移動手段をさらに設け、
前記制御手段は、少なくとも前記予測された画像コマの読み取りを、写真感光材料の搬送を停止させた状態で、前記読取位置移動手段により前記光の位置と前記読取位置とを同期して移動させながら前記読取手段が読み取るように制御する請求項３に記載の画像読取装置。
【請求項６】
長尺状のタブに沿って複数の写真感光材料の長辺を貼着して形成した長尺状の写真感光材料の画像コマを読み取る画像読取装置において、
写真感光材料を移動可能に挟持し、且つ、写真感光材料の挟持を解除可能に構成された挟持手段と、
長尺状のタブを挟持して搬送するタブ搬送手段と、
搬送中の画像コマを予め定めた読み取り位置で読み取る読取手段と、
前記写真感光材料の搬送中に、前記挟持手段と干渉して前記搬送速度を変化させる写真感光材料の部分を検知する検知手段と、
前記検知手段による検知結果に基いて、写真感光材料が挟持手段と干渉する前に挟持手段による写真感光材料の挟持を解除し、読取手段によって画像コマを読み取る制御手段と、
を備えた画像読取装置。
【請求項７】
長尺状のタブに沿って複数の写真感光材料の長辺を貼着して形成した長尺状の写真感光材料の画像コマを読み取る画像読取装置において、
写真感光材料を移動可能に挟持する挟持手段と、
長尺状のタブを挟持して搬送するタブ搬送手段と、
搬送中の画像コマを予め定めた読み取り位置で読み取る読取手段と、
前記写真感光材料の搬送中に、前記挟持手段と干渉して前記搬送速度を変化させる写真感光材料の部分を検知する検知手段と、
該検知手段による検知結果に基いて前記写真感光材料の搬送速度を変化させる部分が特定の搬送手段と干渉するときに読み取られる画像コマを予測する予測手段と、
前記写真感光材料上に照射される光の位置と前記読取手段による読取位置とを同期して移動させる読取位置移動手段と、
写真感光材料が挟持手段と干渉する前に写真感光材料の搬送を停止させ、前記読取手段により少なくとも前記予測された画像コマが読み取られるように前記読取位置移動手段を制御する制御手段と、
を備えた画像読取装置。
【請求項８】
前記読取手段は、ラインＣＣＤである請求項３乃至請求項７の何れか１項記載の画像読取装置。
【発明の詳細な説明】
【０００１】
【発明の属する技術分野】
本発明は、画像読取方法及び画像読取装置に係り、特に、写真フィルム等の写真感光材料に記録された画像を読み取る画像読取方法及び画像読取装置に関する。
【０００２】
【従来の技術】
写真フィルム等の写真感光材料（以下、単にフィルムという）に記録された画像を処理する従来のラボシステムでは、まず、比較的高速でかつ低精細に画像を読み取る予備読み取り（以下、プレスキャンという）を行い、プレスキャンにより得られた画像データに基づいて、比較的低速でかつ高精細に画像を読み取る本読み取り（以下、ファインスキャンという）を行う際の測光条件及びファインスキャンによって得られる画像データに対する画像処理の処理条件を決定し、決定された測光条件でファインスキャンを行うと共に、該ファインスキャンによって得られた画像データに対して上記決定された処理条件で画像処理を行うものがある。
【０００３】
この種のラボシステムでフィルムに記録されている画像を読み取るために用いられる画像読取装置には、画像読取処理の高速化を目的として、画像を読み取るためのＣＣＤセンサを備えた測光系を２系統備え、プレスキャンとファインスキャンとを各々異なる測光系で行うことによって、プレスキャンとファインスキャンとを並行して実行するものがある。
【０００４】
近年、処理能力の向上のために多数のフィルムを連続して読み取る大規模読み取りが要求されている。
【０００５】
一般に、現像後の多数のフィルムを効率的に読み取るために、複数本のフィルム又は複数個のピースフィルムなどの各フィルムの端部同士をスプライシングテープなどで繋ぎ合わせて長尺状にし、この長尺状フィルムを搬送ローラ等の搬送装置により搬送して連続的に読み取ることが提案されている。また、別の方法として長尺状のタブに沿って複数のコマごとに切断されたピースフィルムの長辺（パーフォレーションの位置）を貼着して長尺状にすることも提案されている。
【０００６】
【発明が解決しようとする課題】
しかしながら、フィルムをスプライシングテープなどで繋ぎ合わせると、繋ぎ目が搬送ローラに引っ掛かるなど搬送ローラと干渉して搬送ローラの回転速度を変え、フィルムの搬送速度を遅らせるという問題がある。画像コマの読取中にフィルムの搬送速度が変化すると、良好な読み取りを実行することができないという問題がある。
【０００７】
また、パーフォレーションが切れたフィルムの搬送時についても、パーフォレーションの切れ目が搬送ローラに引っ掛かるなど搬送ローラと干渉して搬送ローラの回転速度を変え、フィルムの搬送速度を遅らせる原因となるので、パーフォレーションが切れたフィルムの搬送時においても良好な読み取りを実行することができないという問題がある。
【０００８】
そこで、本発明は、搬送速度を変化させる要因となる繋ぎ目やパーフォレーションの切れ目があっても良好な読取を実行できる画像読取方法及び画像読取装置を提供することを目的とする。
【０００９】
【課題を解決するための手段】
上記第１の目的を達成するために、請求項１の画像読取方法は、複数の画像コマが記録された長尺状の写真感光材料を長手方向に沿って搬送すると共に、搬送方向と交差する方向に沿って形成された画像読取位置を通過する画像コマを読み取る画像読取方法において、搬送中に搬送手段と干渉して搬送手段による写真感光材料の搬送速度を変化させる写真感光材料の部分を検出し、前記検出された前記写真感光材料の部分が前記搬送手段と干渉するときに読み取られる画像コマを予測し、前記予測された画像コマを写真感光材料が搬送手段に干渉されない状態にして読み取ることを特徴とする。
【００１０】
すなわち、写真感光材料の搬送速度を変化させる写真感光材料の部分を検知して、検知した部分が搬送手段と干渉するときに読み取られる画像コマを予測し、予測された画像コマを干渉が生じにくい状態で読み取ることによって、予測された画像コマの読取中に搬送速度が変化して読み取り精度が悪化することを防止できる。したがって、常に良好な画像コマの読取を行なうことが可能である。
【００１１】
前記予測された画像コマを写真感光材料が搬送手段に干渉されない状態にして読み取る方法としては、例えば、請求項２に記載したように、搬送手段に代えて前記搬送手段から少なくとも１画像コマの長さ分離間した位置に設けられた補助搬送手段を使用して写真感光材料を搬送することにより読取を実行させる方法とすることができる。
【００１２】
また、別の方法として、例えば、反射角度が変化するミラーや反射角度を固定した状態で平行移動可能なミラーにより前記画像読取位置を移動させて前記予測された画像コマを読み取る方法としたり、前記画像読取位置で画像を読み取る読取手段自体を移動させることにより前記画像読取位置を移動させ、前記予測された画像コマを読み取る方法とすることができる。
【００１３】
また、請求項３の発明は、上記請求項１に記載の画像読取方法の実現に適した装置であり、複数の画像コマが記録された長尺状の写真感光材料を搬送する複数の搬送手段と、該搬送手段により搬送された写真感光材料の画像コマを、搬送方向と交差する方向に沿って形成された予め定めた読取位置で読み取る読取手段と、前記搬送手段による写真感光材料の搬送中に特定の搬送手段と干渉して特定の搬送手段による写真感光材料の搬送速度を変化させる写真感光材料の部分を検知する検知手段と、該検知手段による検知結果に基いて前記写真感光材料の搬送速度を変化させる部分が特定の搬送手段と干渉するときに読み取られる画像コマを予測する予測手段と、該予測手段により予測された画像コマを写真感光材料が特定の搬送手段に干渉されない状態で読取手段によって読み取られるように制御する制御手段と、備えている。
【００１４】
なお、「搬送手段による写真感光材料の搬送中に搬送手段と干渉して前記搬送手段による写真感光材料の搬送速度を変化させる写真感光材料の部分（以下、干渉部と称す。）」とは、例えば、複数の写真感光材料の端部同士を接着テープなどで貼り合わせて長尺状にした長尺状の写真感光材料や、長尺状のタブに沿って複数の写真感光材料の長辺を貼着して形成した写真感光材料では、各写真感光材料同士の接合部分であり、また、その他にパーフォレーションの切れ目のような写真感光材料の破断部等、部分的に接合していない写真感光材料部分である。
【００１５】
すなわち、請求項３の発明では、干渉部が特定の搬送手段と干渉するときに読み取られる画像コマを、検知手段の検知結果に基いて予測手段が予測し、干渉部が特定の搬送手段と干渉していない状態で前記予測されたコマが読み取られるように制御手段が制御するため、前記予測された画像コマの読取中に搬送速度が変化して読み取り精度が悪化することを防止できる。したがって、常に良好な画像コマの読取を行なうことが可能である。
【００１６】
干渉部が特定の搬送手段と干渉していない状態で前記予測されたコマを読み取る構成としては、例えば、請求項４に記載したように、前記特定の搬送手段から少なくとも１画像コマの長さ分離間した位置に補助搬送手段をさらに設け、前記制御手段は、前記読取手段により予測された画像コマが読み取られる際に、前記補助搬送手段により写真感光材料が搬送されるように制御する構成とすることができる。
【００１７】
この構成によれば、搬送中に写真感光材料が干渉する搬送手段が存在しなくなるので、常に一定の搬送速度を維持しつつ、良好な読み取りが可能である。
【００１８】
また、請求項５に記載したように、写真感光材料上に照射される光の位置と前記読取手段による読取位置とを同期して移動させる読取位置移動手段をさらに設け、前記制御手段は、少なくとも前記予測された画像コマの読み取りを、写真感光材料の搬送を停止させた状態で、前記読取位置移動手段により前記光の位置と前記読取位置とを同期して移動させながら前記読取手段が読み取るように制御する構成とすることができる。
【００１９】
この構成では、写真感光材料の搬送を停止させた状態で読み取り側を移動させることにより前記予測された画像コマを読み取るようにしているので、写真感光材料の搬送中に、写真感光材料と搬送手段が干渉しても画像コマの読み取りに悪影響が与えられることがない、という利点がある。
【００２０】
読取位置移動手段は、例えば、読取手段側において読取手段の位置を移動させずに読み取り経路を偏向して画像読取位置を移動する構成としたり、読取手段自体を移動させて画像読取位置を移動する構成とすることができる。
【００２１】
また、請求項６の発明の画像読取装置は、長尺状のタブに沿って複数の写真感光材料の長辺を貼着して形成した長尺状の写真感光材料の画像コマを読み取る画像読取装置において、写真感光材料を移動可能に挟持し、且つ、写真感光材料の挟持を解除可能に構成された挟持手段と、長尺状のタブを挟持して搬送するタブ搬送手段と、搬送中の画像コマを予め定めた読み取り位置で読み取る読取手段と、前記写真感光材料の搬送中に、前記挟持手段と干渉して前記搬送速度を変化させる写真感光材料の部分を検知する検知手段と、前記検知手段による検知結果に基いて、写真感光材料が挟持手段と干渉する前に挟持手段による写真感光材料の挟持を解除し、読取手段によって画像コマを読み取る制御手段と、を備えている。
【００２２】
すなわち、請求項６の発明では、長尺状のタブに沿って複数の写真感光材料の長辺を貼着して形成した長尺状の写真感光材料の搬送を、タブ搬送手段により行いつつ、挟持手段により写真感光材料を移動可能に挟持している。そのため、搬送中に写真感光材料がばたつくのを防止できる。
【００２３】
さらに、検知手段による検知結果に基いて、写真感光材料が挟持手段と干渉する前に挟持手段による写真感光材料の挟持を解除しているため、挟持手段と写真感光材料とが干渉することがない。すなわち、挟持手段と干渉して写真感光材料の搬送速度を変化させる部分が挟持手段を通過する際に、挟持手段による搬送を解除しつつ、タブ搬送手段による搬送を継続するので、写真感光材料の搬送を停止することとなく、効率的な画像の読み取りを行なうことができる。
【００２４】
また、請求項７の発明の画像読取装置は、長尺状のタブに沿って複数の写真感光材料の長辺を貼着して形成した長尺状の写真感光材料の画像コマを読み取る画像読取装置において、
写真感光材料を移動可能に挟持する挟持手段と、長尺状のタブを挟持して搬送するタブ搬送手段と、搬送中の画像コマを予め定めた読み取り位置で読み取る読取手段と、前記写真感光材料の搬送中に、前記挟持手段と干渉して前記搬送速度を変化させる写真感光材料の部分を検知する検知手段と、該検知手段による検知結果に基いて前記写真感光材料の搬送速度を変化させる部分が特定の搬送手段と干渉するときに読み取られる画像コマを予測する予測手段と、前記写真感光材料上に照射される光の位置と前記読取手段による読取位置とを同期して移動させる読取位置移動手段と、写真感光材料が挟持手段と干渉する前に写真感光材料の搬送を停止させ、前記読取手段により少なくとも前記予測された画像コマが読み取られるように前記読取位置移動手段を制御する制御手段と、を備えている。
【００２５】
すなわち、請求項７の発明では、長尺状のタブに沿って複数の写真感光材料の長辺を貼着して形成した長尺状の写真感光材料の搬送を中に挟持手段と干渉する画像コマを予測し、予測された画像コマの読み取りは搬送を停止させて読み取り側を移動させて行うようにしている。これにより、写真感光材料の搬送中に、写真感光材料と搬送手段が干渉しても画像コマの読み取りに悪影響が与えられることがない、という利点がある。
【００２６】
読取位置移動手段は、例えば、読取手段側において読取手段の位置を移動させずに読み取り経路を偏向して画像読取位置を移動する構成としたり、読取手段自体を移動させて画像読取位置を移動する構成とすることができる。
【００２７】
なお、請求項５及び請求項７で述べる「前記光の位置と前記読取位置とを同期して移動させる」とは、写真感光材料上に照射される光の位置と前記読取手段による読取位置とが一致するように各構成要素の移動を制御することである。
【００２８】
例えば、写真感光材料上に光を照射する光源と、該光源により照射された領域を読み取る（すなわち、写真感光材料を透過した光を入射して読み取る）読取手段とを移動可能に構成し、写真感光材料上に照射される光の位置と前記読取手段による読取位置とが一致するように、光源と読取手段の移動速度と移動方向とを制御する構成が挙げられる。
【００２９】
また、別の構成として、前記光源を固定し、読取手段を移動可能に構成し、前記光源側に、偏向角度が一定で移動可能な光路偏向部材（例えば、反射ミラー）を設け、写真感光材料上に照射される光の位置と前記読取手段による読取位置とが一致するように、光路偏向部材と読取手段の移動速度と移動方向とを制御する構成が挙げられる。なお、この構成は逆の構成の場合（すなわち、前記光源が移動可能に構成され、かつ、読取手段が固定された場合）にも適用できる。
【００３０】
さらに、別の構成として、前記光源と読取手段とを固定し、前記光源側と読取手段側との両方に、偏向角度が一定で移動可能な光路偏向部材を設け、写真感光材料上に照射される光の位置と前記読取手段による読取位置とが一致するように、２つの光路偏向部材の移動速度と移動方向とを制御する構成が挙げられる。
【００３５】
また、このような読取手段としては、請求項８に記載したように、ラインＣＣＤが好適である。
【００３６】
【発明の実施の形態】
［第１の実施の形態］
まず、図１から図５を参照して本発明の第１の実施の形態であるフィルム画像読取装置（画像読取装置）１６の概略構成について説明する。
【００３７】
（システム全体の概略構成）
図１には第１の実施の形態に係るフィルム画像読取装置１６の概略構成が示されている。図１に示すように、このフィルム画像読取装置１６の内部には、フィルム搬送路に沿ってプレスキャン部３６、ファインスキャン部３８が順次配置されている。各スキャン部３６、３８では、後述するように現像済みの写真感光材料１１（図２及び３参照；以下、ネガフィルム１１と称す。）に記録された画像の走査読み取りを各々行う。
【００３８】
本第１の実施の形態のフィルム画像読取装置１６には、図示しないカメラによって所定数の画像が撮影された現像済みの複数のネガフィルム１１を図２及び図３に示すようにスプライシングテープ１４等の接着テープによって繋ぎ合わせた長尺状のフィルム１２ａ、１２ｂを読取対象としており、フィルム画像読取装置１６にはロール状に巻き取ったものがセットされる。なお、ここでは、図２に示す構成の長尺状のフィルム１２ａをロール状に巻き取ってセットした場合を説明する。
【００３９】
なお、複数本のフィルムを繋ぎ合わせる場合は、図２に示すように、ネガフィルム端部の中央位置にスプライシングテープ１４を貼着し、１本のフィルムを複数個の画像コマごとに切断して得たピースフィルムを繋ぎ合わせる場合は、図３に示すように、フィルム端部の両端に画像コマにかからないようにスプライシングテープ１４を貼着する。
【００４０】
フィルム画像読取装置１６のフィルム搬送路の上流側には挿入検出センサ４０が設けられている。挿入検出センサ４０は、発光素子４０Ａと受光素子４０Ｂとの対がフィルム搬送路を挟んで対向配置されて構成されている。受光素子４０Ｂは制御回路４２に接続されている。制御回路４２は、受光素子４０Ｂから出力される信号のレベルの変化に基づいて、フィルム画像読取装置１６のフィルム搬送路にフィルム１２ａが挿入されたか否かを判断する。
【００４１】
挿入検出センサ４０とプレスキャン部３６との間には、１対のローラ４４、読取ヘッド４６、コマ番号検出センサ４８、画面検出センサ５０、不連続部検出センサ（検知手段）４９が順次配置されている。読取ヘッド４６、コマ番号検出センサ４８、画面検出センサ５０及び不連続部検出センサ４９は各々制御回路４２に接続されている。
【００４２】
フィルム画像読取装置１６にセットされるフィルム１２ａの中には、裏面に透明な磁性材料が塗布されて磁気層が形成され、この磁気層にコマ番号、フィルム種、ＤＸコード等の情報が磁気記録されていることがある。読取ヘッド４６は前記磁気層に磁気記録された情報を読取可能な位置に配置されており、前記情報を読み取って制御回路４２へ出力する。
【００４３】
また、コマ番号検出センサ４８及び画面検出センサ５０は前述の挿入検出センサ４０と同様に発光素子と受光素子の対で構成されている。フィルム１２ａの中にはコマ番号等の情報が光学的に（例えばバーコード等によって）記録されているものがある。コマ番号検出センサ４８は前記光学的に記録されたコマ番号等の情報を検出可能な位置に配置されており、検出したコマ番号等の情報を制御回路４２へ出力する。
【００４４】
また、画面検出センサ５０はフィルム１２ａの幅方向中央部に対応する位置に配置されている。フィルム１２ａに記録された画像と画像の間の非画像部分は、濃度がフィルム１２ａのベースの濃度であるので、前記画像が記録された部分と比較して透過光量が大きい。制御回路４２は画面検出センサ５０の受光素子から出力される信号のレベルを監視し、レベルがベース濃度に対応する所定レベルにまで大きくなったとき、及び前記レベルがベース濃度に対応するレベルから低下したときに、フィルム１２ａに記録された画像のエッジが画面検出センサ５０に対応したと判断し、エッジ検出のタイミングに基づいてフィルム１２ａに記録された画面の位置（及びサイズ）を判断する。
【００４５】
不連続部検出センサ４９は、フィルム１２ａの幅方向両端部に対応する位置に設けられている。この不連続部検出センサ４９は、フィルム搬送路を挟んで対向配置された発光素子４９Ａと受光素子４９Ｂとから構成されている。
【００４６】
受光素子４９Ｂは制御回路（制御手段、予測手段）４２に接続されており、制御回路４２は、受光素子４９Ｂから出力される信号のレベルの変化に基づいて、搬送速度を変化させるフィルム１２ａの部分が通過したかを判断する。
【００４７】
ここで述べる「搬送速度を変化させるフィルム１２ａの部分」とは、ネガフィルム１１同士の繋ぎ目部分とパーフォレーションの切れ目部分等の不連続部である。
【００４８】
すなわち、ネガフィルム１１同士の繋ぎ目部分は、スプライシングテープ１４で連結されているが、両端側は離間しているため繋ぎの部分では、受光素子４９Ｂは受光素子４９Ｂからの光を直接受光することとなる。また、パーフォレーションの切れ目部分も同様に受光素子４９Ｂは受光素子４９Ｂからの光を直接受光することとなる。これに対して繋ぎ目でない部分で切れ目もない部分では、受光素子４９Ｂは、受光素子４９Ｂからの光をフィルムベースを介して受光することとなる。
【００４９】
すなわち、繋ぎ目でない部分で、且つ、パーフォレーションの目が切れていない部分では、ネガフィルム１１のベース濃度が検出されるので、受光素子４９Ｂからの光が直接入射する前記繋ぎ目部分や切れ目部分と比較して透過光量が小さい。
【００５０】
したがって、制御回路４２は、不連続部検出センサ４９の受光素子４９Ｂから出力される信号のレベルを監視し、レベルがベース濃度に対応する所定のレベルよりも大きくなった後に再度レベルがベース濃度に戻ったとき、不連続部と判断し、この結果に基づき不連続部が搬送ローラ対（搬送手段）７４と干渉するときに読み取られる位置の画像コマを予測し、搬送ローラ対７４と補助搬送ローラ対（補助搬送手段）７３とを制御する（後述する）。
【００５１】
一方、プレスキャン部３６は、プレスキャン部３６を通過するフィルム１２ａへ向けて光を射出するように配置されたランプ５２を備えている。ランプ５２はドライバ５４を介して制御回路４２に接続されており、射出する光の光量が予め定められた所定値となるようにドライバ５４から供給される電圧の大きさが制御回路４２によって制御される。
【００５２】
ランプ５２の光射出側にはＣ（シアン）、Ｍ（マゼンタ）、Ｙ（イエロー）の３枚のＣＣフィルタから成るＣＣフィルタ群５６、光拡散ボックス５８が順に配置されており、さらにフィルム搬送路を挟んで結像レンズ６０、ＣＣＤラインセンサ（読取手段）６２が順に配置されている。
【００５３】
ＣＣフィルタ群５６の各ＣＣフィルタは、ＣＣＤラインセンサ６２におけるＲ、Ｇ、Ｂの３色の感度のばらつきを補正するために、光路中への挿入量が予め調整されている。ＣＣフィルタ群５６、光拡散ボックス５８、フィルム１２ａ、及び結像レンズ６０を順に透過した光はＣＣＤラインセンサ６２の受光面に照射される。
【００５４】
ＣＣＤラインセンサ６２の出力側には、増幅器６４、ＬＯＧ変換器６６、Ａ／Ｄ変換器６８が順に接続されている。ＣＣＤラインセンサ６２から出力された信号は、増幅器６４で増幅され、ＬＯＧ変換器６６で対数変換され（濃度値に対応するレベルに変換される）、Ａ／Ｄ変換器６８によって信号レベルに対応する値のデジタルデータに変換される。Ａ／Ｄ変換器６８は制御回路４２に接続されており、前記変換されたデジタルデータは濃度値データとして制御回路４２に入力される。
【００５５】
また、プレスキャン部３６とファインスキャン部３８との間には、補助搬送ローラ対７３、搬送ローラ対７４、従動ローラ７６とからなる第１のローラ群と、従動ローラ７８Ａ、７８Ｂ、７８Ｃから成る第２のローラ群と、が所定間隔隔てて配置されている。この２つのローラ群の間ではフィルム１２ａのループが形成される。このループにより、プレスキャン部３６におけるフィルム１２ａの搬送速度と、ファインスキャン部３８におけるフィルム１２ａの搬送速度と、の差が吸収される。
【００５６】
第１のローラ群の搬送ローラ対７４にはパルスモータ８０が連結されている。パルスモータ８０はドライバ８２を介して制御回路４２に接続されている。また、搬送ローラ対７３は、図示しない退避機構によって後述する補助搬送ローラ対７３によるフィルム１２ａの搬送時は退避した状態となる。
【００５７】
また、搬送ローラ対７４の前段の少なくとも１画像コマ分離れた位置には、補助搬送ローラ対７３が設けられている。この補助搬送ローラ対７３には、補助パルスモータ８１が連結されている。補助パルスモータ８１は補助ドライバ８５を介して制御回路４２に接続されている。この補助搬送ローラ対７３は、図示しない退避機構によって通常のフィルム搬送時は退避した状態となっている。
【００５８】
制御回路４２は、通常はドライバ８２を介してパルスモータ８０を駆動することにより、搬送ローラ対７４を駆動してフィルム１２ａを搬送する。また、制御回路４２は、不連続部検出センサ４９からの信号のレベルがベース濃度に対応する所定のレベルよりも大きくなって不連続部と判断すると、所定時間経過後にドライバ８２を介してパルスモータ８０を停止させて搬送ローラ対７４による駆動を停止すると共に、図示しない退避機構によって補助搬送ローラ対７３を下降させてフィルムを挟持させた状態で、補助ドライバ８５を介して補助パルスモータ８１を駆動してフィルム１２ａを搬送させる。
【００５９】
なお、不連続部検出センサ４９からの信号に基いて不連続部が検出されたと判断してから搬送ローラ対７４による駆動を停止するまでの所定時間は以下のように決定する。
【００６０】
すなわち、図４に示すように、搬送方向と直交する方向に関して、不連続部検出センサ４９の位置、補助搬送ローラ対７３の位置、搬送ローラ対７４の位置は、夫々固定されており、搬送速度も一定であることから、不連続部検出センサ４９の位置から補助搬送ローラ対７３までの距離Ｌ１に基いて不連続部検出センサ４９によって検出された不連続部が不連続部検出センサ４９から補助搬送ローラ対７３に到達するまでの時間ｔ１（以下、第１時間ｔ１と称す。）を算出する。同様にして、不連続部検出センサ４９の位置から搬送ローラ対７４までの距離Ｌ２に基いて不連続部検出センサ４９によって検出された不連続部が不連続部検出センサ４９から搬送ローラ対７４に到達するまでの時間ｔ２（以下、第２時間ｔ２と称す。）を算出する。
【００６１】
次に、不連続部が不連続部検出センサ４９において検知されてから第１時間ｔ１が経過し第２時間ｔ２に達するまでの時間において、ＣＣＤラインセンサ６２による読取位置がフィルム１２ａに記録された画像コマと画像コマの間の非画像部分にあると判断されるときの時間ｔ３（以下、第３時間ｔ３と称す。；言い換えると、不連続部が不連続部検出センサ４９において検知されてから、不連続部が補助搬送ローラ対７３と搬送ローラ対７４との間に配置され、且つ、ＣＣＤラインセンサ６２による読取位置がフィルム１２ａに記録された画像コマと画像コマの間の非画像部分にあると判断されるときの時間。）を算出し、これを搬送ローラ対７４による駆動を停止するまでの所定時間とする。
【００６２】
補助搬送ローラ対７３による１画像コマのフィルム１２ａの搬送によって不連続部が搬送ローラ対７４を通過すると、制御回路４２は、補助搬送ローラ対７３によるフィルム１２ａの搬送を停止して、図示しない退避手段により補助搬送ローラ対７３を退避させると共に、搬送ローラ対７４による駆動を再び開始させる。
【００６３】
また、搬送ローラ対７４の上流側近傍及び従動ローラ７８Ｂ、７８Ｃの下流側近傍には、制御回路４２に接続されたループ管理用センサ８３Ａ及び８３Ｂが各々配置されている。本実施形態におけるループ管理用センサ８３Ａ及び８３Ｂは、フィルム１２ａ上の目印（例えば、スプライス）を検出するものであり、制御回路４２は、フィルム１２ａを搬送している間にループ管理用センサ８３Ａによって上記目印を検出した時点で制御回路４２に設けられた図示しないカウンタによるカウントを開始し、同一の上記目印をループ管理用センサ８３Ｂによって検出した時点で上記図示しないカウンタによるカウントを停止することによって得られたカウント値に基づいてループの長さ（ループを形成しているフィルム１２ａの長さ）を検出することができる。
【００６４】
また、従動ローラ７８Ｂ、７８Ｃとファインスキャン部３８との間には、不連続部検出センサ４９が配置されている。不連続部検出センサ４９は、フィルム１２ａの幅方向両端部に対応する位置に設けられ、その出力は制御回路４２に接続されている。
【００６５】
この不連続部検出センサ４９は、上述したプレスキャン部３６の前段に設けられた不連続部検出センサ４９と同様に、フィルム搬送路を挟んで対向配置された発光素子４９Ａと受光素子４９Ｂとから構成されている。受光素子４９Ｂは制御回路４２に接続されており、制御回路４２は、受光素子４９Ｂから出力される信号のレベルの変化に基づいて、フィルム１２ａの不連続部が通過したかを判断する。
【００６６】
ファインスキャン部３８はプレスキャン部３６とほぼ同一の構成とされているので、同様の符号を付して詳細な説明は省略する。
【００６７】
以上のように、第１の実施の形態では、不連続部検出センサ４９により繋ぎ目若しくはパーフォレーションの切れ目と判断された部分が検出されないときは、搬送ローラ対７４によるフィルム１２ａの搬送を行い、不連続部検出センサ４９により繋ぎ目若しくはパーフォレーションの切れ目と判断された部分が検出されたときは、前記検出された部分が搬送ローラ対７４を通過するときに読み取られる画像コマを予測する。
【００６８】
その後、予測された画像コマが読み取られる前で、不連続部が補助搬送ローラ対７３と搬送ローラ対７４との間にあり、且つ、ＣＣＤラインセンサ６２の読取位置が画像コマ間の領域となったときに、フィルム１２ａの搬送を搬送ローラ対７４から補助搬送ローラ対７３に切り替えてフィルム１２ａを搬送する。
【００６９】
すなわち、予測されたコマの読取時は、すでに不連続部が通過した位置に配置された補助搬送ローラ対７３によりフィルム１２ａが搬送されることとなるので、予測されたコマの読取中にフィルム１２ａの不連続部（繋ぎ目若しくはパーフォレーションの切れ目部分）が補助搬送ローラ対７３とが干渉して搬送速度を変化させる恐れがなく、良好な読取を実現できる。
【００７０】
（作用）
次にプレスキャン部３６における制御回路４２によるフィルム１２ａ搬送の制御ルーチンについて図５を参照して説明する。
【００７１】
まず、ステップ２００では、搬送ローラ対７４によりフィルム１２ａを挟持して搬送を開始させる。次のステップ２０２では、不連続部検出センサ４９の受光量が所定値よりも大きくなっているか、すなわち、不連続部検出センサ４９の発光素子４９Ａからの光がフィルム１２ａのフィルムベースを通過したときの受光量より大きくなっているかを判断する。
【００７２】
一方、受光量が所定値よりも大きくなってから一定時間が経過しない場合は、ステップ２０６に移行して、受光量が所定値であるかを判断する。
【００７３】
受光量が所定値であると判断した場合は、ステップ２０８に移行して所定時間経過したかを判断する。なお、ステップ２０８における所定時間とは、前述したように、不連続部が不連続部検出センサ４９において検知されてから第１時間ｔ１が経過し第２時間ｔ２に達するまでの時間において、ＣＣＤラインセンサ６２による読取位置がフィルム１２ａに記録された画像コマと画像コマの間の非画像部分にあると判断されるときの時間ｔ３である。
【００７４】
ステップ２０８において、所定時間経過したと判断した場合は、ステップ２１０に移行して、搬送ローラ対７４によるフィルム１２ａの搬送を停止し、フィルム１２ａの挟持を解除する。次のステップ２１２では、補助搬送ローラ対７３によりフィルム１２ａを挟持させて、ステップ２１４において補助搬送ローラ対７３により１画像コマ分フィルム１２ａを搬送する。
【００７５】
その後、ステップ２１６において、補助搬送ローラ対７３による搬送を停止し、フィルム１２ａの挟持を解除し、再びステップ２００に戻り、搬送ローラ対７４によりフィルム１２ａを挟持して搬送を開始させる。
【００７６】
以上は、プレスキャン部３６における制御回路４２によるフィルム１２ａ搬送の制御について説明したが、ファインスキャン部３８においても同様にしてフィルム１２ａの搬送を搬送ローラ対７４から補助搬送ローラ対７３に切り替えてフィルム１２ａを搬送するので詳細な説明は省略する。
【００７７】
なお、本第１の実施の形態では、搬送ローラ対７４と補助搬送ローラ対７３とは、少なくとも１画像コマ分離間しているものとし、補助搬送ローラ対７３が１画像コマ分フィルム１２ａを搬送したら、再び搬送ローラ対７４によりフィルム１の搬送を開始する構成としているが、搬送ローラ対７４と補助搬送ローラ対７３との離間間隔は、１画像コマ分に限定されるものではない。同様に、補助搬送ローラ対７３によるフィルム１２ａの搬送も、少なくとも不連続部と判断された個所が搬送ローラ対７４を通過する位置まで搬送すればよく、１画像コマ分と限定するものではない。
【００７８】
また、別の構成として、例えば、補助搬送ローラ対７３によるフィルム１２ａの搬送と搬送ローラ対７４によるフィルム１２ａの搬送とを交互に行うように構成することもできる。
【００７９】
［第２の実施の形態］
第２の実施の形態に係るフィルム画像読取装置１６は、所定数の画像が撮影された現像済みの複数のネガフィルム１１をタブ１５の長辺に沿って貼着して長尺状とした、図６に示す構成のタブ付きフィルム１２ｃを読取対象としており、上記タブ付きフィルム１２ｃをロール状に巻き取ったものがフィルム画像読取装置１６にセットされている。
【００８０】
本第２の実施の形態のフィルム画像読取装置１６は、第１の実施の形態のようにフィルム１２ｂの長手方向に沿って所定間隔を開けて補助搬送ローラ対７３及び搬送ローラ対７４を設ける代わりに、図６に示す構成のタブ付きフィルム用搬送ローラ対７９を備えた構成である。なお、その他の構成は、上述した第１の実施の形態と同様であるので説明は省略する。
【００８１】
タブ付きフィルム用搬送ローラ対７９は、図６に示すように、ネガフィルム１１側の端部を挟持して搬送するフィルム側搬送ローラ対７９ａ（挟持手段）と、タブ１５を挟持して搬送するタブ側搬送ローラ対７９ｂ（タブ搬送手段）とから構成されている。
【００８２】
フィルム側搬送ローラ対７９ａは、ネガフィルム１１の挟持を解除可能に構成され、不連続部の通過時にはネガフィルム１１の挟持を解除する。このとき、タブ側搬送ローラ対７９ｂはタブの搬送を継続しているので、タブ付きフィルム１２ｃの搬送は継続されている。不連続部がフィルム側搬送ローラ対７９ａを通過したら、フィルム側搬送ローラ対７９ａは、ネガフィルム１１を再び挟持して搬送を開始する。
【００８３】
なお、本実施の形態では、フィルム側搬送ローラ対７９ａによるフィルム挟持の解除タイミングとフィルム側搬送ローラ対７９ａによるフィルム挟持の再開タイミングは、以下のように決定している。
【００８４】
すなわち、図７に示すように、搬送方向と直交する方向に関して、不連続部検出センサ４９の位置、フィルム側搬送ローラ対７９ａの位置は、夫々固定されており、搬送速度も一定であることから、不連続部検出センサ４９の位置からフィルム側搬送ローラ対７９ａに到達する寸前の位置までの距離Ｌ４に基いて不連続部検出センサ４９によって検出された不連続部が不連続部検出センサ４９からフィルム側搬送ローラ対７９ａに到達する寸前の位置に達するまでの時間ｔ４（以下、第４時間ｔ４と称す。）を算出する。
【００８５】
同様にして、不連続部検出センサ４９の位置から不連続部がフィルム側搬送ローラ対７９ａを通過した直後の位置までの距離Ｌ５に基いて、不連続部検出センサ４９によって検出された不連続部がフィルム側搬送ローラ対７９ａを通過するまでの時間ｔ５（以下、第５時間ｔ５と称す。）を算出し、第５時間ｔ５から第４時間ｔ４を差し引いて、解除時間（以下、第６時間ｔ６と称す。）を算出する。
【００８６】
制御回路４２は、不連続部検出センサ４９により不連続部が検知されると、不連続部が検知されてから第４時間ｔ４が経過したかを判断する。第４時間ｔ４が経過したと判断すると、制御回路４２はフィルム側搬送ローラ対７９ａによるフィルムの挟持搬送を解除する。その後、制御回路４２は、第６時間ｔ６が経過したかを判断し、第６時間ｔ６が経過したと判断すると、フィルム側搬送ローラ対７９ａによるフィルムの挟持搬送を再開する。
【００８７】
なお、タブ側搬送ローラ対７９ｂが１画像コマ分フィルム１２ｃを搬送すると、その間に不連続部がフィルム側搬送ローラ対７９ａを通過することとなるので、制御回路４２は、フィルム側搬送ローラ対７９ａによるフィルムの挟持搬送が解除されてから、タブ側搬送ローラ対７９ｂが１画像コマ分フィルム１２ｃを搬送したかを判断し、タブ側搬送ローラ対７９ｂが１画像コマ分フィルム１２ｃを搬送したと判断したら、フィルム側搬送ローラ対７９ａによるネガフィルム１１の挟持搬送が再開されるように制御する構成とすることも可能である。
【００８８】
このように、第２の実施の形態の構成によれば、フィルムの搬送を停止する必要がないので、処理時間を短縮して効率的な画像の読み取りを行なうことができる。
【００８９】
［第３の実施の形態］
図８〜図１１を参照して本発明の第３の実施の形態であるフィルム画像読取装置（画像読取装置）１７について説明する。
【００９０】
（システム全体の概略構成）
図８には第３の実施の形態に係るフィルム画像読取装置１７の概略構成が示されている。図８に示すように、このフィルム画像読取装置１７は、搬送ローラ対７４を一旦停止させて、光源ユニット（制御手段；読取位置移動手段）５１によるフィルム上の被照明位置とＣＣＤラインセンサ６２のフィルム上の読取位置とを一致させた状態で移動させる（すなわち、同期して移動させる）ことにより、フィルム１２の読み取りを行う構成である。
【００９１】
プレスキャン部３６の光源ユニット５１は、ドライバ５４を介して制御回路４２に接続されたランプ、ＣＣフィルタから成るＣＣフィルタ群、光拡散ボックスから構成されており、この光源ユニット５１は図示しない移動手段により、副走査方向に移動可能に構成されている。
【００９２】
光源ユニット５１の射出側には、フィルム搬送路を挟んでミラー（制御手段；読取位置移動手段）７１、結像レンズ６０、ＣＣＤラインセンサ６２が順に配置されている。光源ユニット５１から射出された光は、フィルム１２を透過した後、ミラー７１ａに反射されて結像レンズ６０によりＣＣＤラインセンサ６２の受光面に結像される。
【００９３】
ミラー７１ａには、駆動モータ７５が連結されており、駆動モータ７５はドライバ７７を介して制御回路４２に接続されている。また、結像レンズ６０は、図示しない移動機構によってミラー７１ａの移動と同期して移動する構成とされている。すなわち、ミラー７１ａにより反射された光が常にＣＣＤラインセンサ６２の受光面に結像するように、制御回路４２によってミラー７１ａの移動と共に結像レンズ６０の移動が制御される。
【００９４】
また、ファインスキャン部３８の構成はプレスキャン部３６と同様であるので説明は省略する。なお、その他の構成は上述した第１の実施の形態と同様であるので、同じ符号を付与して詳細な説明は省略する。
【００９５】
第３の実施の形態では、不連続部検出センサ４９により繋ぎ目若しくはパーフォレーションの切れ目と判断された部分（すなわち不連続部）が検出されないときは、搬送ローラ対７４によるフィルム１２の搬送を行って読み取りを実行する。
【００９６】
不連続部検出センサ４９により繋ぎ目若しくはパーフォレーションの切れ目と判断された部分が検出されたときは、前記検出された部分が搬送ローラ対７４を通過するときに読み取られる画像コマを予測する。
【００９７】
その後、ＣＣＤラインセンサ６２が前記予測された画像コマを次に読み取るタイミングとなったときに、搬送ローラ対７４によるフィルム１２の搬送を停止し、光源ユニット５１とミラー７１ａとを搬送ローラ対７４による搬送速度と同じ速度で搬送方向に移動させると共に、ミラー７１ａにより反射された光が常にＣＣＤラインセンサ６２の受光面に導かれるように、結像レンズ６０の位置を調整する。
【００９８】
（作用）
ここで、プレスキャン部３６における制御回路４２によるフィルム１２搬送の制御ルーチンについて図９を参照して説明する。なお、上述の図５に示した第１の実施形態における制御ルーチンと同じ制御を行う個所は同様の符号を付して説明を省略する。
【００９９】
ステップ２０８において、所定時間経過したと判断した場合は、ステップ３１０に移行して、搬送ローラ対７４によるフィルム１２の搬送を停止する。
【０１００】
次のステップ３１２では、光源ユニット５１を移動させて照射位置をフィルム１２が副走査される方向に１画像コマ分移動させる。この光源ユニット５１の移動と同期して、ミラー７１ａをフィルム１２が副走査される方向に１画像コマ分移動させると共に、結像レンズ６０の位置を変え、光源ユニット５１の移動に伴なうフィルム上の被照射位置の移動に関わらず、光源ユニット５１からの光がＣＣＤラインセンサ６２の受光面に結像されるように制御する。
【０１０１】
光源ユニット５１、ミラー７１ａ及び結像レンズ６０の移動によって１画像コマ分の読取が終了したら、ステップ３１４において、光源ユニット５１、ミラー７１ａ及び結像レンズ６０を初期の位置に戻す。その後、ステップ３００に戻り、搬送ローラ対７４によりフィルム１２を挟持して搬送を開始させる。
【０１０２】
以上は、プレスキャン部３６における制御回路４２による光源ユニット５１、ミラー７１ａ及び結像レンズ６０の移動制御について説明したが、ファインスキャン部３８においてもプレスキャン部３６と同様であるので、詳細な説明は省略する。
【０１０３】
このように、本第３の実施の形態では、前記不連続部が搬送ローラ対７４と干渉しない状態で読み取ることができる画像コマに関しては通常に読み取り、前記不連続部が搬送ローラ対７４と干渉する状態で読み取り対象となる画像コマに関しては、搬送を一旦停止させて、光源ユニット５１とミラー７１ａとを移動させると共に、ミラー７１ａにより反射された光が常にＣＣＤラインセンサ６２の受光面で結像するように、結像レンズ６０の位置を調整する。その後、通常の位置に光源ユニット５１とミラー７１ａとをもどしてからフィルムの読み取りを再開する。
【０１０４】
このように構成したため、前記不連続部が搬送手段と干渉してフィルム１２の搬送速度を変える瞬間に読み取られる画像コマが存在しなくなり、常に良好な読み取りを行うことができる。
【０１０５】
なお、第３の実施の形態では、副走査方向に移動する照射光に追随して移動するようにミラー７１ａと結像レンズとを移動させる構成としているが、本発明ではこの構成に限らず、例えば、副走査方向に移動する照射光に追随してミラー７１ａを回動させると共にミラー７１ａにより反射された光が常にＣＣＤラインセンサ６２の受光面で結像するように結像レンズを移動させる構成とすることも可能である。また、ミラー７１ａを使用せずにＣＣＤラインセンサ６２自体を副走査方向に移動する照射光に追随するように移動させる構成とすることも可能である。
【０１０６】
また、第３の実施の形態では、照射光を副走査方向に移動させるために、光源ユニット５１自体を移動させる構成としているが、本発明ではこの構成に限らず、光源ユニット５１を固定し、光源ユニット５１からの光を予め定めたフィルム上の位置に照射させる反射ミラーなどの光路偏向部材により、フィルムに光を照射する構成とすることも可能である。
【０１０７】
この場合も、例えば、搬送速度と同じ速度となるように副走査方向に光路偏向部材を移動させる構成としたり、光路偏向部材の光偏向面の偏向角度を変えてフィルム上の被照射位置が副走査方向に移動するように偏向角度を制御する構成とすることも可能である。
【０１０８】
さらに、本第３の実施の形態では、光源ユニット５１及びミラー７１ａの移動によるフィルム１２の読み取りを１画像コマ分（予測された画像コマ分）としているため、光源ユニット５１及びミラー７１ａの移動によるフィルム１２の読み取り終了後に１画像コマ分フィルム１２が搬送されたら、ＣＣＤラインセンサ６２による読取を再開するようにしているが、光源ユニット５１及びミラー７１ａの移動によるフィルム１２の読取は１画像コマ分に限らない。したがって、これに伴なって再開されるＣＣＤラインセンサ６２による読取再開タイミングも１画像コマ分搬送された後に限らない。
【０１０９】
なお、本第３の実施の形態では、ＣＣＤラインセンサは移動させずにミラー７１ａの位置を調整することによりＣＣＤラインセンサの読取位置を光源ユニットにより照射位置と一致するように調整しているが、本発明はこの構成に限らない。
【０１１０】
例えば、図１０に示すように、光源ユニット５１とＣＣＤラインセンサ６２とを副走査方向に移動可能に構成したり、図１１に示すように、光源ユニット５１を固定して設けると共に、光源ユニット５１とフィルム１２との間に副走査方向に移動可能なミラー７１ｂを設け、このミラー７１ｂをＣＣＤラインセンサ６２と同期して副走査方向に移動させることにより、フィルム１２上に照射される光の照明位置を移動させる構成とすることも可能である。
【０１１１】
もちろん、逆の構成（すなわち、ＣＣＤラインセンサ６２を固定して設けると共に、ＣＣＤラインセンサ６２とフィルムとの間に副走査方向に移動可能なミラー７１ｂを設け、このミラー７１ｂを光源ユニット５１と同期して副走査方向に移動させる構成）も可能である。
【０１１２】
さらに、光源ユニット５１とＣＣＤラインセンサ６２とを固定して設けると共に、光源ユニット５２とフィルム１２との間及びフィルム１２とＣＣＤラインセンサ６２との間にそれぞれ副走査方向に移動可能なミラー７１ａ、７１ｂを設け、これら２つのミラー７１ａ、７１ｂを副走査方向に同期して移動させることにより、フィルム１２上に照射される光の照明位置及びＣＣＤラインセンサ６２の読み取り位置を一致させることができる。
【０１１３】
また、ＣＣＤラインセンサ等の読取手段をネガフィルムの搬送方向に少なくとも１画像コマの長さ離間した位置に２つ並べて配置し、一方の読取手段により画像コマを読取中に前記干渉が生じると予測される画像コマの読み取りを、前記干渉が生じる前に他の読取手段が読み取るようにしてもよい。この場合もフィルムの搬送を停止しなくともよいので、処理時間を短縮して効率的な画像の読み取りを行なうことができる。
【０１１４】
なお、上記第１の実施の形態から第３の実施の形態においては、不連続部検出センサ４９をフィルム１２の幅方向両端部に対応する位置に設ける構成としたが、例えば、図２または図６に示したように、少なくともフィルム１２の端部同士が離間した状態でタブやスプライシングテープにより繋ぎ合わされている場合は、不連続部検出センサ４９を、フィルム１２の離間した端部側のみに設ける構成とすることもできる。この場合、必要な不連続部検出センサ４９が１つであるので、装置構成が容易になると共に、その分のコストを下げることができる。
【０１１５】
なお、例えば、図３に示したように、フィルム１２の両端が短いスプライシングテープ１４によってそれぞれ繋ぎ合わされている等のように、フィルム１２の端部が離間しているかの判断がつきにくい場合や、フィルム１２の繋ぎ目端部が離間していない場合は、本実施の形態のように不連続部検出センサ４９をフィルム１２の幅方向両端部に対応する位置に設け、受光素子２よって受光される受光量がある時点から一定時間増加または減少すると、不連続部を検出したと判断するように構成することもできる。
【０１１６】
［第４の実施の形態］
第４の実施の形態のフィルム画像読取装置（画像読取装置）は、第２の実施の形態の応用例であり、タブ付きフィルム用搬送ローラ対７９を設けた位置に、タブ１５を挟持して搬送する搬送ローラ対７４を供えると共に、画像読み取り位置に、図１２に示すように、フィルム１２ｃの下側からフィルム１２ｃを支持してフィルム搬送面を形成する凸状のガイド部材２０が設けられている。
【０１１７】
また、第４の実施の形態のフィルム画像読取装置は、全ての搬送ローラがタブ１５を挟持して搬送するタブ側搬送ローラ対であり、ネガフィルム１１に非接触でフィルム１２ｃを搬送する構成である。なお、その他の構成は、上述した第２の実施の形態と同様であるので説明は省略する。
【０１１８】
凸状ガイド部材２０は、画像読み取り位置が頂部となるように配設されており、フィルムの通過側の画像読み取り位置にはネガフィルム１１を透過した光を通過させるための切欠き部（透過部）２２が形成されている。
【０１１９】
また、凸状ガイド部材２０のタブ通過側の搬送方向上流側位置と搬送方向下流側位置とのそれぞれには、フィルム１２ｃを上側から抑え付けるガイドローラ２４ａ、２４ｂが設けられている。
【０１２０】
本第４の実施の形態では、これら２つのガイドローラ２４ａ、２４ｂと凸状ガイド部材２０とによって、フィルム１２ｃが挟持搬送される。このとき、２つのガイドローラ２４ａ、２４ｂにより上側から抑えられる力と凸状ガイド部材２０の頂部により下側から押し上げられる力とによってフィルム１２ｃが凸状ガイド部材２０の表面に沿って湾曲し、凸状ガイド部材２０の頂部位置で平坦性を持つようになる。
【０１２１】
また、フィルム１２ｃが湾曲された状態では、ネガフィルム１１自身の張りによってネガフィルム１１が縒れることがないので、ネガフィルム１１自体を挟持搬送しなくともタブ１５のみを挟持搬送するだけで良好な搬送が可能である。
【０１２２】
すなわち、２つのガイドローラ２４ａ、２４ｂと凸状ガイド部材２０とによって、フィルム１２ｃを挟持搬送する構成とすることにより、ネガフィルム１１に非接触な状態であっても良好な読み取りと搬送が可能となる。
【０１２３】
また、第４の実施の形態において、読み取り対象となるフィルム１２ｃは、ネガフィルム１１側にコマ番号等の情報がバーコードや英数字等（図示せず）で記録されると共に、タブ１５側に各コマのそれぞれに対して予め定めた配置で設けられるコマ位置検出用のノッチ２５が設けられている。
【０１２４】
そのため、ガイド部材２０のノッチ２５が通過する領域に、ノッチ２５読み取り用の切欠き２６が設けられている。画像読み取り用のCＣＤラインセンサ６２は、画像の読み取りと共に該ノッチ２５読み取り用の切欠き２６からタブ１５に記録されたノッチを読み取る。もちろん、切欠き２６の代わりにスリットや透明な部材によりノッチ２５読み取り用の透過部を構成してもよい。
【０１２５】
なお、第４の実施の形態の構成では、画像読み取り用のCＣＤラインセンサ６２が画像の読み取りと共にフィルム１２ｃに記録されたバーコードや英数字等の情報及びノッチを読み取る構成としているため、前記情報を読みとるためのセンサ及びコマ検知用のセンサが不要であり、装置構成が簡略化できるので好ましい。もちろん、CＣＤラインセンサ６２が画像のみを読み取るように構成し、前記情報を読みとるためのセンサ及びコマ検知用のセンサをそれぞれ設けても良い。
【０１２６】
さらに、本第４の実施の形態では、フィルム１２ｃを透過した光をガイド部材により妨げられないようにするために、ガイド部材２０に切欠き部２２を設けた構成としたが、本発明は、切欠き部２２を備えたガイド部材２０に限定するものでなく、少なくとも画像読み取り位置に、例えば、スリットや、光の透過を妨げない透明な材料が設けられ、フィルム１２ｃを透過した光がガイド部材２０を通過できる構成であれば適用できる。
【０１２７】
なお、以上述べた全ての実施の形態においては、透過型の読取機構について説明したが、本発明は、光源ユニットと読取機構とを同じ側に設けた構成の反射型の読取機構においても適用することができる。
【０１２８】
さらに、以上述べた全ての実施の形態において、本発明の写真感光材料としてネガフィルムを適用した場合について説明したが、本発明はこれに限定されるものではなく、リバーサルフィルム（ポジフィルム）の読み取りに対しても本発明は適用できることはいうまでもない。
【０１２９】
【発明の効果】
以上説明したように、本発明の画像読取方法によれば、搬送速度を変えさせる要因となる繋ぎ目やパーフォレーションの切れ目があっても良好な読み取りを実行できる、という効果が得られる。
【０１３０】
また、本発明の画像読取装置によれば、繋ぎ目や切れ目のある長尺状の写真感光材料を常に所定の搬送速度で搬送し、継続して良好に読取を実行できる、という効果がある。
【図面の簡単な説明】
【図１】第１の実施の形態に係るフィルム画像読取装置１６の概略構成を示す説明図である。
【図２】スプライシングテープを用いて複数のフィルムを長尺状とした一例を示す説明図である。
【図３】スプライシングテープを用いて複数のフィルムを長尺状とした別の一例を示す説明図である。
【図４】不連続部検出センサ４９の位置、補助搬送ローラ対７３の位置、搬送ローラ対７４の位置とを示す説明図である。
【図５】第１の実施の形態に係るプレスキャン部３６における制御回路４２によるフィルム１２搬送の制御ルーチンである。
【図６】第２の実施の形態に係るフィルム画像読取装置１６の要部の概略を説明する斜視図である。
【図７】図７（Ａ）は、第２の実施の形態に係るフィルム画像読取装置の要部を側面からみた概略構成図であり、図７（Ｂ）は、図７（Ａ）の上面図である。
【図８】第３の実施の形態に係るフィルム画像読取装置１７の概略構成を示す説明図である。
【図９】第３の実施の形態に係るプレスキャン部３６における制御回路４２による光源ユニット５１の移動制御とミラー７１ａの移動の制御ルーチンである。
【図１０】図１０（Ａ）は第３の実施の形態の応用例を説明するフィルム画像読取装置の要部を側面からみた概略構成図であり、図１０（Ｂ）は、図１０（Ａ）の上面図である。
【図１１】図１１（Ａ）は第３の実施の形態の別の応用例を説明するフィルム画像読取装置の要部を側面からみた概略構成図であり、図１１（Ｂ）は、図１１（Ａ）の上面図である。
【図１２】図１２（Ａ）は第４の実施の形態に係るフィルム画像読取装置１６の要部の概略を説明する上面図であり、図１２（Ｂ）は図１２（Ａ）の斜視図である。
【符号の説明】
１１  ネガフィルム（写真感光材料）
１２ａ、１２ｂ  長尺状フィルム
１２ｃ      タブ付きフィルム
１４  スプライシングテープ
１５  タブ
１６、１７  フィルム画像読取装置（画像読取装置）
３６  プレスキャン部
３８  ファインスキャン部
４０  挿入検出センサ
４０Ａ、４９Ａ  発光素子
４０Ｂ、４９Ｂ  受光素子
４２  制御回路（制御手段）
４４  ローラ
４６  読取ヘッド
４８  コマ番号検出センサ
４９  不連続部検出センサ
５０  画面検出センサ
５１  光源ユニット（制御手段；読取位置移動手段）
５２  ランプ
５４  ドライバ
５６  ＣＣフィルタ群
５８  光拡散ボックス
６０  結像レンズ
６２  ＣＣＤラインセンサ（読取手段）
６４  増幅器
６６  ＬＯＧ変換器
６８  Ａ／Ｄ変換器
７１ａ、７１ｂ  ミラー（制御手段；読取位置移動手段）
７３  補助搬送ローラ対（補助搬送手段）
７４  搬送ローラ対（搬送手段）
７５  駆動モータ
７６  従動ローラ対
７８Ａ、７８Ｂ  従動ローラ
７９ｂ      タブ側搬送ローラ対
７９ａ      フィルム側搬送ローラ対
７９  タブ付きフィルム用搬送ローラ対
８０  パルスモータ
８１  補助パルスモータ
８２  ドライバ
８３Ａ、８３Ｂ  ループ管理用センサ
８５  補助ドライバ
【図１】
0003946921.tif 000002
【図２】
0003946921.tif 000003
【図３】
0003946921.tif 000004
【図４】
0003946921.tif 000005
【図５】
0003946921.tif 000006
【図６】
0003946921.tif 000007
【図７】
0003946921.tif 000008
【図８】
0003946921.tif 000009
【図９】
0003946921.tif 000010
【図１０】
0003946921.tif 000011
【図１１】
0003946921.tif 000012
【図１２】
0003946921.tif 000013